(57)【要約】【課題】換気窓が開かれた場合のＣＯ2 施用の無駄と温室内のＣＯ2 濃度の不足とを同時に解消する。【解決手段】外部ＣＯ2 センサ７を設けて大気のＣＯ2 濃度を検出する。内部ＣＯ2 センサ２が検出するＣＯ2 濃度と大気のＣＯ2 濃度とが等しくなるように温室１へのＣＯ2 の供給量を制御する。温室１内のＣＯ2 濃度と大気のＣＯ2 濃度とを等しく、あるいはわずかに低くすることにより、温室１の内外でのＣＯ2 の交換が行われず、天窓（換気窓）４を通してＣＯ2 が外へ流出することを防ぐことができる。また、天窓４が開かれた場合に温室１へのＣＯ2 の供給を停止する方法では温室１内のＣＯ2 濃度が２００〜２５０ｐｐｍ程度まで下がり、植物の光合成活動を抑制するが、これに対して、本発明では、温室１内のＣＯ2 濃度が大気のＣＯ2 濃度程度まで高められるので、天窓１が開かれても温室１内のＣＯ2 濃度が低下し過ぎることがない。【選択図】  図１
2005065602.tif 000002
【特許請求の範囲】
【請求項１】
換気窓を有する植物栽培用の温室に二酸化炭素（ＣＯ2 ）を供給するＣＯ2 供給手段を備えた温室制御システムにおいて、
前記温室内の二酸化炭素の濃度を検出する内部ＣＯ2 センサと、
この内部ＣＯ2 センサが検出する二酸化炭素の濃度と大気の二酸化炭素の濃度とがほゞ等しくなるように前記ＣＯ2 供給手段が供給する前記温室への二酸化炭素の供給量を制御するＣＯ2 供給量制御手段と
を備えたことを特徴とする温室制御システム。
【請求項２】
換気窓を有する植物栽培用の温室に二酸化炭素（ＣＯ2 ）を供給するＣＯ2 供給手段と、前記換気窓の開閉を外部環境に基づいて制御する換気窓制御手段とを備えた温室制御システムにおいて、
前記温室内の二酸化炭素の濃度を検出する内部ＣＯ2 センサと、
少なくとも前記換気窓が開かれているときに、前記内部ＣＯ2 センサが検出する二酸化炭素の濃度と大気の二酸化炭素の濃度とがほゞ等しくなるように前記ＣＯ2 供給手段が供給する前記温室への二酸化炭素の供給量を制御するＣＯ2 供給量制御手段と
を備えたことを特徴とする温室制御システム。
【請求項３】
請求項１又は２に記載された温室制御システムにおいて、
大気の二酸化炭素の濃度を検出する外部ＣＯ2 センサを備え、
前記ＣＯ2 供給量制御手段は、前記内部ＣＯ2 センサが検出する二酸化炭素の濃度と前記外部ＣＯ2 センサが検出する二酸化炭素の濃度とがほゞ等しくなるように前記ＣＯ2 供給手段が供給する前記温室への二酸化炭素の供給量を制御する
ことを特徴とする温室制御システム。
【請求項４】
換気窓を有する植物栽培用の温室内の二酸化炭素の濃度を検出し、
この検出される温室内の二酸化炭素の濃度と大気の二酸化炭素の濃度とがほゞ等しくなるように前記温室への二酸化炭素の供給量を制御する
ようにしたことを特徴とする温室制御方法。
【発明の詳細な説明】
【技術分野】
【０００１】
この発明は、植物栽培用の温室内の二酸化炭素（ＣＯ2 ）の濃度を制御する温室制御システムおよび温室制御方法に関するものである。
【背景技術】
【０００２】
従来より、メロンなどの植物の栽培には、温室が用いられている。この温室内のＣＯ2 濃度は植物の光合成や呼吸活性の変化に伴って変動する。温室内のＣＯ2 濃度が低下すると、植物のＣＯ2 交換速度が遅くなり、発育が遅れる。そこで、外部からＣＯ2 を温室に送り込み、人工的に温室内のＣＯ2 濃度を高めることが行われている。この人工的に温室内のＣＯ2 濃度を高めることをＣＯ2 施用と呼んでいる。ＣＯ2 施用する場合、温室内のＣＯ2 濃度は、一般に、７００〜１０００ｐｐｍ程度が適当とされている。
【０００３】
〔従来例１〕
図５にＣＯ2 施用を施す際のシステム構成図を示す。同図において、１は温室、２は温室１の内部に設けられたＣＯ2 センサ（内部ＣＯ2 センサ）、３は温室１の内部にＣＯ2 を供給するＣＯ2 供給装置であり、ＣＯ2 供給装置３は温室１内へのＣＯ2 の供給機能と温室１内へのＣＯ2 の供給量の制御機能を備えている。なお、温室１には、換気窓として天窓４（４−１，４−２）が設けられている。天窓４（４−１，４−２）には開閉可能にルーフ５（５−１，５−２）が設けられている。ルーフ５（５−１，５−２）の天窓４（４−１，４−２）に対する開閉（天窓の開閉）は、外部環境（外気温度、日射量など）に基づいて、天窓制御装置６によって制御されるようになっている。
【０００４】
このシステムにおいて、外気温度が低い場合や日射量が少ない場合、天窓制御装置６は天窓４を閉じる。この天窓４を閉じた状態において、温室１内のＣＯ2 濃度は、ＣＯ2 施用によって例えば１０００ｐｐｍに維持される。すなわち、このシステムにおいて、ＣＯ2 供給装置３は、内部ＣＯ2 センサ２が検出する温室１内のＣＯ2 濃度（内部ＣＯ2 濃度）と予め設定されているＣＯ2 濃度の基準値（１０００ｐｐｍ）とが等しくなるように温室１内へのＣＯ2 の供給量を制御する。
【０００５】
〔従来例２〕
特許文献１には、日射量や天窓の開度に応じて、温室内のＣＯ2 濃度の基準値を補正し、この補正したＣＯ2 濃度の基準値に基づいて温室へのＣＯ2 の供給量を制御する技術が示されている。例えば、日射量が多くなると、その日射量に応じて４００Ｗ／ｍ2 〜８００Ｗ／ｍ2 まではＣＯ2 濃度の基準値を０〜１００ｐｐｍ上げ、日射量が８００Ｗ／ｍ2 を超えると、一律にＣＯ2 濃度の基準値を１００ｐｐｍ上げる。天窓が開かれると、その天窓の開き量に応じて１５〜４０％まではＣＯ2 濃度の基準値を０〜１５０ｐｐｍ下げ、天窓の開き量が４０％を超えると、一律にＣＯ2 濃度の基準値を１５０ｐｐｍ下げる。
【０００６】
【特許文献１】特開平８−６６１２６号公報、図１、図２、図３。
【発明の開示】
【発明が解決しようとする課題】
【０００７】
〔従来例１の課題〕
図５に示したシステムにおいて、天窓制御装置６は、外気温度が高い場合や日射量が多い場合、温室１内の過高温を避けるために、天窓４を開く。夏期だけではなく、冬期や中間期においても、天窓４は部分的にあるいは全面的に開かれる。図６（ａ）は温室１内のＣＯ2 濃度（内部ＣＯ2 濃度）の変化を示し、図６（ｂ）は温室１内へのＣＯ2 の供給量の変化を示す。時刻ｔ１において、天窓４が開かれると、温室１内のＣＯ2 濃度は低下して行く。すなわち、大気（外気）の平均ＣＯ2 濃度は３５０ｐｐｍであり、これに対して温室１内のＣＯ2 濃度は１０００ｐｐｍであるので、天窓４から温室１内のＣＯ2 が外に逃げ、温室１内のＣＯ2 濃度が低下して行く。
【０００８】
ＣＯ2 供給装置３は、温室１内のＣＯ2 濃度が低下すると、温室１内の内部ＣＯ2 濃度とＣＯ2 濃度の基準値（１０００ｐｐｍ）とが等しくなるように、温室１内へのＣＯ2 の供給量をアップする。この場合、施用するＣＯ2 の大半が温室１の外に流出することから、無駄が多い。
【０００９】
この無駄を避けるために、通常は、天窓４が開かれると、温室１内へのＣＯ2 の供給を停止させている（図７（ｂ）に示すｔ１点）。この場合、天窓４が開くと、この開かれた天窓４から温室１内のＣＯ2 が外に逃げ、温室１内のＣＯ2 濃度が低下して行く。植物が繁茂している状態では、植物の光合成活動により、温室１内のＣＯ2 濃度は大気のＣＯ2 濃度よりもさらに低下し、２００〜２５０ｐｐｍ程度まで下がる。
【００１０】
この温室１内のＣＯ2 濃度の低下は、温室１内の土壌に生息する微生物の呼吸によるＣＯ2 放出が少ないほど大きい。したがって、水耕温室あるいは通路などがフィルムやコンクリートで被覆されている温室（最近このような温室が増大している）では、天窓４が開かれた場合の温室１内のＣＯ2 濃度の低下が顕著となる。夏場、天窓４は、強風時あるいは雨天時を除いてほとんど開かれ、ほゞ全開とされる。このため、温室１内のＣＯ2 濃度が低くなり過ぎ、植物の発育が遅れる。
【００１１】
〔従来例２の課題〕
特許文献１に示された技術では、天窓が開かれると、温室内のＣＯ2 濃度の基準値が下げられる。このため、温室内へのＣＯ2 の供給量が減り、温室の外に流出するＣＯ2 の量が減少する。しかし、天窓が開かれた時に下げられるＣＯ2 濃度の基準値（補正後の基準値）は不定であり、大気のＣＯ2 濃度よりも高い場合もあり得るし、低い場合もあり得る。すなわち、天窓が開かれた時の日射量によってＣＯ2 濃度の基準値（補正前の基準値）は異なり、また天窓の開き量によって補正量も異なり、補正後の基準値は一義的には定まらない。補正後の基準値が大気のＣＯ2 濃度よりも高い場合には、温室の外に流出するＣＯ2 は零とはならず、無駄が生じる。補正後の基準値が大気のＣＯ2 濃度よりも低い場合には、温室内のＣＯ2 濃度が低くなり過ぎ、植物の発育が遅れる。
【００１２】
本発明は、このような課題を解決するためになされたもので、その目的とするところは、換気窓が開かれた場合のＣＯ2 施用の無駄と温室内のＣＯ2 濃度の不足とを同時に解消するこのとできる温室制御システムおよび温室制御方法を提供することにある。
【課題を解決するための手段】
【００１３】
このような目的を達成するために本発明は、換気窓を有する植物栽培用の温室にＣＯ2 を供給するＣＯ2 供給手段を備えた温室制御システムにおいて、温室内のＣＯ2 濃度を検出する内部ＣＯ2 センサと、この内部ＣＯ2 センサが検出するＣＯ2 濃度と大気のＣＯ2 濃度とがほゞ等しくなるようにＣＯ2 供給手段が供給する温室へのＣＯ2 の供給量を制御するＣＯ2 供給量制御手段とを設けたものである。
【００１４】
この発明によれば、温室内のＣＯ2 濃度と大気のＣＯ2 濃度とがほゞ等しくなるように、温室へのＣＯ2 の供給量が制御される。すなわち、大気のＣＯ2 濃度を例えば３５０ｐｐｍとした場合、温室内のＣＯ2 濃度が３５０ｐｐｍに制御され、大気のＣＯ2 濃度と温室内のＣＯ2 濃度とが一致する。この制御は、換気窓が開かれているときにのみ行うようにしてもよいし、換気窓の開閉とは無関係に常に行うようにしてもよい。いずれにしても、大気のＣＯ2 濃度と温室内のＣＯ2 濃度とが等しくされるので、温室内外でのＣＯ2 の交換が行われず、換気窓を通してＣＯ2 が外へ流出することがなくなる。なお、制御誤差特性を考慮して、温室外に流出するＣＯ2 濃度を零にするために、温室内ＣＯ2 濃度を温室外のＣＯ2 濃度よりもやや低く、例えば１〜２０ｐｐｍ低くなるように、制御するようにしてもよい。
【００１５】
前述したように、換気窓が開かれた場合に温室へのＣＯ2 の供給を停止すると、植物が繁茂している状態では、植物の光合成活動により、温室内のＣＯ2 濃度が２００〜２５０ｐｐｍ程度まで下がる。これに対して、本発明では、温室内のＣＯ2 濃度が大気のＣＯ2 濃度（例えば３５０ｐｐｍ）まで高められるので、換気窓が開かれても温室内のＣＯ2 濃度が低くなり過ぎることがなく、植物の正味光合成速度が数十％増大し（一般に、晴天時の温室植物の正味光合成速度は、ＣＯ2 濃度が５００ｐｐｍまでは、ほゞ直線的に増大することが知られている）、植物の発育が促進される。
【００１６】
また、本発明では、温室内のＣＯ2 濃度が大気のＣＯ2 濃度と等しくなり、温室の外へのＣＯ2 の流出がないので、施用したＣＯ2 のほとんど全てが植物に吸収されることになり、ＣＯ2 施用の運転費（ＣＯ2 の施用量）が大幅に減少する。
【００１７】
なお、本発明において、大気のＣＯ2 濃度は設定値として与えてもよく、温室の外に大気のＣＯ2 濃度を検出する外部ＣＯ2 センサを設け、この外部ＣＯ2 センサからの検出値として与えるようにしてもよい。
また、本発明は、温室制御方法としてシステムに適用することも可能である。
【発明の効果】
【００１８】
本発明によれば、温室内のＣＯ2 濃度と大気のＣＯ2 濃度とが等しくなるように温室へのＣＯ2 の供給量を制御するようにしたので、換気窓からの温室の外へのＣＯ2 の流出をほゞ零とすることができ、ＣＯ2 施用に際する無駄をなくすことができるようになる。
また、本発明によれば、換気窓が開かれた状態での温室内のＣＯ2 濃度が大気のＣＯ2 濃度まで高められるので、換気窓が開かれても温室内のＣＯ2 濃度が低くなり過ぎることがなく、植物の正味光合成速度を数十％増大させ、植物の発育を促進することができるようになる。
また、本発明によれば、温室内のＣＯ2 濃度が大気のＣＯ2 濃度と等しくなり、温室の外へのＣＯ2 の流出がないので、施用したＣＯ2 のほとんど全てが植物に吸収されることになり、ＣＯ2 施用の運転費（ＣＯ2 の施用量）を大幅に減少させることができるようになる。
【発明を実施するための最良の形態】
【００１９】
以下、本発明を図面に基づいて詳細に説明する。図１はこの発明に係る温室制御システムの一実施の形態を示すシステム構成図である。同図において、図５と同一符号は図５を参照して説明した構成要素と同一或いは同等構成要素を示し、その説明は省略する。
【００２０】
この温室制御システムでは、大気のＣＯ2 濃度を検出するＣＯ2 センサ（外部ＣＯ2 センサ）７を設け、この外部ＣＯ2 センサ７が検出する大気のＣＯ2 濃度（外部ＣＯ2 濃度）をＣＯ2 供給装置３’へ与えるようにしている。また、天窓制御装置６からＣＯ2 供給装置３’へ、天窓４が閉じられていることを示す天窓閉信号Ｓ１、天窓４が開かれていることを示す天窓開信号Ｓ２を送るようにしている。
【００２１】
ＣＯ2 供給装置３’は、温室１内へのＣＯ2 の供給機能と温室１内へのＣＯ2 の供給量の制御機能を備えており、天窓制御装置６から天窓閉信号Ｓ１が与えられている場合、内部ＣＯ2 センサ２が検出する温室１内のＣＯ2 濃度と予め設定されているＣＯ2 濃度の基準値（１０００ｐｐｍ）との差に基づき、両者が等しくなるように温室１内へのＣＯ2 の供給量を制御する。また、ＣＯ2 供給装置３’は、天窓制御装置６から天窓開信号Ｓ２が与えられている場合、内部ＣＯ2 センサ２が検出する温室１内のＣＯ2 濃度と外部ＣＯ2 センサ７が検出する大気のＣＯ2 濃度との差に基づき、両者が等しくなるように温室１内へのＣＯ2 の供給量を制御する。
【００２２】
大気中のＣＯ2 濃度を測定する場合、濃度の時間的空間的変動を出来る限り避けるために、サンプルガスの取入口を地上から出来る限り高い場所に設けることが望ましい。このため、本実施の形態では、外部ＣＯ2 センサ７を天窓４の外側上部に設置している。
【００２３】
また、温室１の内外のＣＯ2 濃度測定のためのサンプルガスは１点からではなく、複数箇所から採取することが望ましい。このため、本実施の形態では、内径５ｍｍ程度のチューブに複数箇所孔を開けて、複数箇所から採取されたサンプルガスを内部ＣＯ2 センサ２や外部ＣＯ2 センサ７に送り込むようにしている。
【００２４】
温室１内のＣＯ2 濃度は、植物が繁茂しているときは、植物の葉が混み合っているところで低くなる。したがって、ＣＯ2 の供給は、そのような場所において行えるのが望ましい。ＣＯ2 の供給は、植物繁茂空間内の１箇所ではなく、多数箇所から行われることが望ましい。このため、本実施の形態では、ＣＯ2 供給装置３’からのパイプＰを温室１内に巡らせ、このパイプＰに多数の噴出孔を設け、これらの噴出孔から均一にＣＯ2 を温室１内に供給するようにしている。また、パイプＰにバルブＶを設け、このバルブＶの開度を調整することによって、温室１内へのＣＯ2 の供給量を制御するようにしている。なお、温室１内には、温室１内のＣＯ2 の拡散を推進するために、攪拌ファンを設置すると有効である。
【００２５】
〔天窓が閉じられている場合〕
このシステムにおいて、外気温度が低い場合や日射量が少ない場合、天窓制御装置６は天窓４を閉じる。この場合、天窓制御装置６は、天窓閉信号Ｓ１をＣＯ2 供給装置３’へ送る。
【００２６】
ＣＯ2 供給装置３’は、天窓制御装置６から天窓閉信号Ｓ１が入力されている場合、内部ＣＯ2 センサ２が検出する温室１内のＣＯ2 濃度と予め設定されているＣＯ2 濃度の基準値（１０００ｐｐｍ）とが等しくなるように温室１内へのＣＯ2 の供給量を制御する。
【００２７】
〔天窓が開かれている場合〕
このシステムにおいて、外気温度が高い場合や日射量が多い場合、天窓制御装置６は、温室１内の過高温を避けるために、天窓４を開く。夏期だけではなく、冬期や中間期においても、天窓４は部分的にあるいは全面的に開かれる。この場合、天窓制御装置６は、天窓開信号Ｓ２をＣＯ2 供給装置３’へ送る。
【００２８】
ＣＯ2 供給装置３’は、天窓制御装置６から天窓開信号Ｓ２が入力されている場合、内部ＣＯ2 センサ２が検出する温室１内のＣＯ2 濃度と外部ＣＯ2 センサ７が検出する大気のＣＯ2 濃度と等しくなるように温室１内へのＣＯ2 の供給量を制御する。
【００２９】
図２（ａ）は温室１内のＣＯ2 濃度（内部ＣＯ2 濃度）と大気のＣＯ2 濃度（外部ＣＯ2 濃度）の変化を示し、図２（ｂ）は温室１内へのＣＯ2 の供給量の変化を示す。時刻ｔ１において、天窓４が開かれると、温室１内のＣＯ2 濃度は低下して行く。すなわち、この時、大気のＣＯ2 濃度は３５０ｐｐｍであり、これに対して温室１内のＣＯ2 濃度は１０００ｐｐｍであるので、天窓４から温室１内のＣＯ2 が外に逃げ、温室１内のＣＯ2 濃度が低下して行く。
【００３０】
温室１内のＣＯ2 濃度はやがて大気のＣＯ2 濃度と等しくなる（図２（ａ）に示すｔ２点）。植物が繁茂している状態では、植物の光合成活動により、温室１内のＣＯ2 濃度はさらに低下する。ＣＯ2 供給装置３’は、温室１内のＣＯ2 濃度が大気のＣＯ2 濃度よりも低くなると、両者が等しくなるようにバルブＶの開度を調整し、温室１内へのＣＯ2 の供給量をダウンする。これにより、外部ＣＯ2 センサ７が検出している大気のＣＯ2 濃度を例えば３５０ｐｐｍとした場合、温室１内のＣＯ2 濃度が３５０ｐｐｍに制御され、大気のＣＯ2 濃度と温室１内のＣＯ2 濃度とが一致すようになる。
【００３１】
大気のＣＯ2 濃度と温室１内のＣＯ2 濃度とが一致している状態では、天窓４を通して温室１の内外の空気の交換は行われるが、ＣＯ2 の交換は行われない。このため、ＣＯ2 が温室１内から外へ流出することがなく、天窓４からの温室１の外へのＣＯ2 の流出がほゞ零となり、ＣＯ2 施用に際する無駄をなくすことができる。
【００３２】
また、天窓４が開かれた場合に温室１へのＣＯ2 の供給を停止する方法では温室内のＣＯ2 濃度が２５０ｐｐｍ程度まで下がるのに対し、本実施の形態では、温室１内のＣＯ2 濃度が大気のＣＯ2 濃度まで高められるので、天窓４が開かれても温室１内のＣＯ2 濃度が低くなり過ぎることがなく、植物の正味光合成速度が数十％増大し、植物の発育が促進される。
【００３３】
また、温室１内のＣＯ2 濃度が大気のＣＯ2 濃度と等しくなり、温室１の外へのＣＯ2 の流出がないので、施用したＣＯ2 のほとんど全てが植物に吸収されることになり、ＣＯ2 施用の運転費（ＣＯ2 の施用量）が大幅に減少する。
【００３４】
なお、上述した実施の形態では、大気のＣＯ2 濃度と温室１内のＣＯ2 濃度とを一致させるようにバルブＶの開度を制御するようにしたが、大気のＣＯ2 濃度と温室１内のＣＯ2 濃度とを一致させるようにバルブＶの開閉を制御するようにしてもよい。すなわち、温室１内のＣＯ2 濃度が大気のＣＯ2 濃度よりも低くなった場合にバルブＶを開き（全開）、温室１内のＣＯ2 濃度が大気のＣＯ2 濃度よりも高くなった場合にバルブＶを閉じる（全閉）というような制御を行うようにしてもよい。
【００３５】
また、上述した実施の形態では、内部ＣＯ2 センサ２と外部ＣＯ2 センサ７を個別に設けたが、差分式ＣＯ2 濃度センサを用いて温室１内のＣＯ2 濃度と大気のＣＯ2 濃度との濃度差を検出するようにしてもよい。差分式ＣＯ2 濃度センサは、本願発明でいう内部ＣＯ2 センサと外部ＣＯ2 センサとを組み合わせたものであり、内部ＣＯ2 センサの機能と外部ＣＯ2 センサの機能とを合わせ持つ。本発明は、内部ＣＯ2 センサや外部ＣＯ2 センサの一形態として、差分式ＣＯ2 濃度センサも含むものである。
【００３６】
また、上述した実施の形態では、外部ＣＯ2 センサ７を設け、この外部ＣＯ2 センサ７によって検出した大気のＣＯ2 濃度をＣＯ2 供給装置３’へ与えるようにしたが、大気の平均ＣＯ2 濃度（３５０ｐｐｍ）を設定値としてＣＯ2 供給装置３’へ与えるようにしてもい。すなわち、大気中のＣＯ2 濃度３５０〜３８０ｐｐｍであることを考慮し、温室１内のＣＯ2 濃度だけを検出し、この検出した温室１内のＣＯ2 濃度と設定値（３５０ｐｐｍ）との差を温室内外のＣＯ2 濃度差としてもよい。
【００３７】
また、上述した実施の形態では、天窓４が開かれた場合に、温室１内のＣＯ2 濃度と大気のＣＯ2 濃度とが等しくなるように温室１内へのＣＯ2 の供給量を制御するようにしたが、天窓４が閉じられている場合も同様にして、温室１内のＣＯ2 濃度と大気のＣＯ2 濃度とが等しくなるように温室１内へのＣＯ2 の供給量を制御するようにしてもよい。すなわち、天窓４の開閉とは無関係に、常に温室１内のＣＯ2 濃度と大気のＣＯ2 濃度とが等しくなるように温室１内へのＣＯ2 の供給量を制御するようにしてもよい。
【００３８】
この場合、天窓制御装置６からのＣＯ2 供給装置３’への天窓開閉信号Ｓ１／Ｓ２の供与は不要となり、システム構成が単純となる。また、全ての制御期間において、温室１の外へのＣＯ2 の流出はなく、施用したＣＯ2 がすべて植物に吸収されたと考えることができる。したがって、図３に示すように、供給開始終了日時と合わせてＣＯ2 の供給量を記憶しておき、これを図４に示すようにグラフ化して画面表示するようにすれば、温室１内の植物のＣＯ2 交換速度の変化を知ることができる。すなわち、この場合、温室１内へのＣＯ2 の供給量は温室１内の植物が吸収したＣＯ2 の量に等しく、ＣＯ2 の供給量が増えるほどＣＯ2 交換速度が速くなったことを示している。したがって、ＣＯ2 の供給量をＣＯ2 交換速度に置き換えてグラフ化することにより、植物の発育状況を把握することができる。
【００３９】
また、上述した実施の形態では、温室１内の換気については触れなかったが、自然換気でも強制換気でも実施することが可能である。また、細霧冷房温室に本システムを組み込むことが可能である。
また、上述した実施の形態では、天窓４を換気窓としたが、換気窓は天窓に限られるものでないことも言うまでもない。
【００４０】
また、上述した実施の形態では、温室１内のＣＯ2 濃度を大気のＣＯ2 濃度と等しくなるように制御したが、制御誤差特性を考慮して、温室１外に流出するＣＯ2 濃度を零にするために、温室１内のＣＯ2 濃度を温室１外のＣＯ2 濃度よりもやや低く、例えば１〜２０ｐｐｍ低くなるように、制御するようにしてもよい。
【００４１】
また、上述した実施の形態において、温室１内へのＣＯ2 の施用は、昼間（日照がある時間帯）にのみ実施される。それ以外の時間帯にはＣＯ2 が供給されないように、タイマなどで夜間の作動を制限する。また、温室１内のＣＯ2 濃度を大気のＣＯ2 濃度と等しくする制御において、温室１内へのＣＯ2 の供給は、温室１内のＣＯ2 濃度が温室１外のＣＯ2 濃度よりも低くなった場合にのみ実施する。
【図面の簡単な説明】
【００４２】
【図１】本発明に係る温室制御システムの一実施の形態を示すシステム構成図である。
【図２】この温室制御システムにおける温室内のＣＯ2 濃度（内部ＣＯ2 濃度）と大気のＣＯ2 濃度（外部ＣＯ2 濃度）の変化および温室内へのＣＯ2 の供給量の変化を示す図である。
【図３】この温室制御システムにおける供給開始終了日時と合わせてのＣＯ2 の供給量の記憶内容を例示する図である。
【図４】図３に示した記憶内容からグラフ化される温室内の植物のＣＯ2 交換速度の変化を例示する図である。
【図５】従来の温室制御システムの一例を示すシステム構成図である。
【図６】この温室制御システムにおける温室内のＣＯ2 濃度（内部ＣＯ2 濃度）および温室内へのＣＯ2 の供給量の変化を示す図である。
【図７】天窓が開かれた場合に温室内へのＣＯ2 の供給を停止させるようにした場合の温室内のＣＯ2 濃度および温室内へのＣＯ2 の供給量の変化を示す図である。
【符号の説明】
【００４３】
１…温室、２…ＣＯ2 センサ（内部ＣＯ2 センサ）、３’…ＣＯ2 供給装置、４（４−１，４−２）…天窓、５（５−１，５−２）…ルーフ、６…天窓制御装置、７…ＣＯ2 センサ（外部ＣＯ2 センサ）、Ｐ…パイプ、Ｖ…バルブ。
【図１】
2005065602.tif 000003
【図２】
2005065602.tif 000004
【図３】
2005065602.tif 000005
【図４】
2005065602.tif 000006
【図５】
2005065602.tif 000007
【図６】
2005065602.tif 000008
【図７】
2005065602.tif 000009